(57)【要約】  医療用入力装置は、ユーザによる位置情報の入力を受け付けるタッチパッドを有する操作面が主面に配置されている本体と、前記本体の前記操作面を覆い、かつ前記タッチパッドの近傍において前記主面から裏面までを覆うシートと、を備える。これにより、洗浄性がよい医療用入力装置を提供する。
2020152835.tif 000002
【特許請求の範囲】
【請求項１】
ユーザによる位置情報の入力を受け付けるタッチパッドを有する操作面が主面に配置されている本体と、
前記本体の前記操作面を覆い、かつ前記タッチパッドの近傍において前記主面から裏面までを覆うシートと、
を備える医療用入力装置。
【請求項２】
前記シートは、前記タッチパッドの近傍に位置する一辺において前記主面から前記裏面までを覆う請求項１に記載の医療用入力装置。
【請求項３】
前記本体の前記タッチパッドの近傍の前記主面と前記裏面とを接続する側面は、曲面であり、
前記シートは、前記曲面の少なくとも前記タッチパッドの近傍の一部を覆う請求項１又は２に記載の医療用入力装置。
【請求項４】
前記本体の前記裏面を覆う底板を備え、
前記シートの前記裏面まで延在する部分の端部は、前記本体と前記底板との間に挟まれている請求項１〜３のいずれか１つに記載の医療用入力装置。
【請求項５】
前記シートを前記本体と前記底板との間に摺動可能に保持するガイド部材を備える請求項４に記載の医療用入力装置。
【請求項６】
前記本体の熱膨張率と前記シートの熱膨張率とが異なる請求項１〜５のいずれか１つに記載の医療用入力装置。
【発明の詳細な説明】
【技術分野】
【０００１】
本発明は、医療用入力装置に関する。
【背景技術】
【０００２】
観察対象である生体組織又は材料の特性を観察するために、観察対象により反射した超音波をもとに生成された超音波画像を用いることがある。体内の生体組織などの診断には、挿入部の先端に超音波振動子を設けた超音波内視鏡が用いられる。【０００３】
超音波内視鏡による観察に用いる医療用入力装置には、従来、トラックボールが用いられていたが、近年では、洗浄性の観点から、タッチパッドが用いられている。【０００４】
また、洗浄性の観点から、医療用入力装置の本体において、タッチパッドを含む操作面には、シートを貼ることが好ましい（例えば、特許文献１参照）。この操作面にシートを貼る方法として、操作面に凹部を設け、凹部の内側にシートを貼る方法が一般的である。この場合、輸送時や使用時の温度変化により、本体及びシートが膨張又は収縮して、シートが浮いたり剥がれたりすることを防止するため、凹部はシートよりわずかに大きく形成されている。そのため、凹部の内壁面とシートの端部との間には溝ができる。
【先行技術文献】
【特許文献】
【０００５】
【特許文献１】特開２０１８−７５１９０号公報
【発明の概要】
【発明が解決しようとする課題】
【０００６】
タッチパッドを有する医療用入力装置の操作時において、操作者はタッチパッドを目視せずに操作することが多い。その結果、特にタッチパッドの周辺部において、操作者が上述した溝に触れて、溝の内部が汚れる場合がある。溝の内部が汚れるとブラシ等で洗浄する必要があり手間がかかっていた。【０００７】
本発明は、上記に鑑みてなされたものであって、洗浄性がよい医療用入力装置を提供することを目的とする。
【課題を解決するための手段】
【０００８】
上述した課題を解決し、目的を達成するために、本発明の一態様に係る医療用入力装置は、ユーザによる位置情報の入力を受け付けるタッチパッドを有する操作面が主面に配置されている本体と、前記本体の前記操作面を覆い、かつ前記タッチパッドの近傍において前記主面から裏面までを覆うシートと、を備える。【０００９】
また、本発明の一態様に係る医療用入力装置は、前記シートは、前記タッチパッドの近傍に位置する一辺において前記主面から前記裏面までを覆う。【００１０】
また、本発明の一態様に係る医療用入力装置は、前記本体の前記タッチパッドの近傍の前記主面と前記裏面とを接続する側面は、曲面であり、前記シートは、前記曲面の少なくとも前記タッチパッドの近傍の一部を覆う。【００１１】
また、本発明の一態様に係る医療用入力装置は、前記本体の前記裏面を覆う底板を備え、前記シートの前記裏面まで延在する部分の端部は、前記本体と前記底板との間に挟まれている。【００１２】
また、本発明の一態様に係る医療用入力装置は、前記シートを前記本体と前記底板との間に摺動可能に保持するガイド部材を備える。【００１３】
また、本発明の一態様に係る医療用入力装置は、前記本体の熱膨張率と前記シートの熱膨張率とが異なる。
【発明の効果】
【００１４】
本発明によれば、洗浄性がよい医療用入力装置を実現することができる。
【図面の簡単な説明】
【００１５】
【図１】図１は、実施の形態１に係る医療用入力装置の構成を示す模式図である。
【図２】図２は、図１に示す医療用入力装置のＡ−Ａ線に対応する断面図である。
【図３】図３は、実施の形態２に係る医療用入力装置の構成を示す断面図である。
【図４】図４は、図３に示す底板及びガイド部材を主面側から見た図である。
【図５】図５は、本体が膨張した場合のシートの状態を表す図である。
【図６】図６は、本体が収縮した場合のシートの状態を表す図である。
【図７】図７は、変形例２−１に係る医療用入力装置の構成を示す模式図である。
【図８】図８は、変形例２−２に係る医療用入力装置の構成を示す模式図である。
【図９】図９は、実施の形態３に係る医療用入力装置の構成を示す断面図である。
【発明を実施するための形態】
【００１６】
以下に、図面を参照して本発明に係る医療用入力装置の実施の形態を説明する。なお、これらの実施の形態により本発明が限定されるものではない。本発明は、本体の操作面をシートにより覆う医療用入力装置一般に適用することができる。
【００１７】
また、図面の記載において、同一又は対応する要素には適宜同一の符号を付している。また、図面は模式的なものであり、各要素の寸法の関係、各要素の比率などは、現実と異なる場合があることに留意する必要がある。図面の相互間においても、互いの寸法の関係や比率が異なる部分が含まれている場合がある。
【００１８】
（実施の形態１）
図１は、実施の形態１に係る医療用入力装置の構成を示す模式図である。図２は、図１に示す医療用入力装置のＡ−Ａ線に対応する断面図である。図１、図２に示すように、本実施の形態１に係る医療用入力装置１は、本体１０と、本体１０の操作面１０ａａを覆うシート２０と、本体１０の裏面１０ｂを覆う底板３０と、を備える。なお、以下において、本体１０の操作面１０ａａが配置されている面を主面１０ａ、主面１０ａの反対側の面を裏面１０ｂ、主面１０ａと裏面１０ｂとを接続する面を側面１０ｃとする。
【００１９】
本体１０は、ユーザによる位置情報の入力を受け付けるタッチパッド１１と、各種情報を表示可能な表示部１２と、を有する。本体１０は、例えばＡＢＳ樹脂等の樹脂からなる。本体１０のタッチパッド１１の近傍の主面１０ａと裏面１０ｂとを接続する側面１０ｃは、曲面である。このタッチパッド１１は、図１に示すように、高さ方向（図１の紙面に沿って上下方向）の幅がＨであり、Ａ−Ａ線に対応する断面図である図２において、図示した位置に設けられている。
【００２０】
タッチパッド１１は、接触センサを含んで構成されており、操作者の指等の接触物が接触センサに接触すると、接触位置を検知して出力する。タッチパッド１１は、接触センサに接触物が接触している間は、繰り返し接触位置を検出し、時間変化する接触位置を繰り返し出力する。
【００２１】
表示部１２は、液晶又は有機ＥＬ（Ｅｌｅｃｔｒｏ  Ｌｕｍｉｎｅｓｃｅｎｃｅ）等からなる表示パネルを用いて構成される。表示部１２は、タッチパネルからなり、ユーザによる入力を受け付けることができる構成であってもよい。
【００２２】
シート２０は、タッチパッド１１の近傍に位置する一辺において主面１０ａから裏面１０ｂまでを覆う。すなわち、シート２０は、本体１０の曲面である側面１０ｃを覆う。シート２０は、例えばＰＥＴ樹脂等の樹脂からなる。そのため、シート２０の熱膨張率は、本体１０の熱膨張率より小さく、シート２０の熱による膨張又は収縮は、本体１０の熱による膨張又は収縮より小さい。
【００２３】
シート２０の裏面１０ｂまで延在する部分の端部は、本体１０と底板３０との間に挟まれている。そして、シート２０の端部は、シート２０に形成された孔に挿通されたネジ２１と、ネジ２１が螺合されるボルト２２とにより、底板３０に固定されている。
【００２４】
底板３０は、不図示のネジ等により、本体１０に固定されている。底板３０は、金属又は合金等からなる。そのため、底板３０の熱膨張率は、本体１０及びシート２０の熱膨張率より十分に小さく、底板３０の熱による膨張又は収縮は、本体１０及びシート２０の熱による膨張又は収縮に対して無視できる程度に小さい。
【００２５】
以上説明したように、実施の形態１によれば、タッチパッド１１の近傍において、シート２０が本体１０の主面１０ａから裏面１０ｂまでを覆っている。その結果、タッチパッド１１の近傍には、本体１０とシート２０との間の溝がないため、溝が汚れることが防止されており、溝を洗浄する必要がない。すなわち、医療用入力装置１は、洗浄性がよい医療用入力装置である。
【００２６】
なお、上述した実施の形態１では、シート２０がタッチパッド１１の近傍に位置する一辺の全域にわたって主面１０ａから裏面１０ｂまでを覆う例を説明したが、これに限られない。例えば、シート２０は、タッチパッド１１の近傍に位置する一辺の、タッチパッド１１の近傍の領域において主面１０ａから裏面１０ｂまでを覆っていればよい。この場合も、タッチパッド１１の近傍に溝がないため、洗浄性がよい。
【００２７】
また、上述した実施の形態１では、本体１０の側面１０ｃの全面が曲面である例を説明したが、これに限られない。例えば、本体１０の側面１０ｃは、タッチパッド１１の近傍の一部が曲面であってもよい。
【００２８】
また、上述した実施の形態１では、シート２０が曲面である側面１０ｃの全面を覆っている例を説明したが、これに限られない。例えば、シート２０は、曲面である側面１０ｃの少なくともタッチパッド１１近傍の一部を覆っていればよい。
【００２９】
また、上述した実施の形態１では、側面１０ｃが曲面である例を説明したが、これに限られず、側面１０ｃの形状は特に限定されない。例えば、側面１０ｃは、主面１０ａ及び裏面１０ｂと直交する直交部と、直交部の上下から主面１０ａ及び裏面１０ｂに接続する面であって、直交部及び主面１０ａ又は裏面１０ｂに交差する面取り部とからなる構成であってもよい。
【００３０】
（実施の形態２）
図３は、実施の形態２に係る医療用入力装置の構成を示す断面図である。図３に示すように、実施の形態２に係る医療用入力装置は、シート２０Ａを本体１０と底板３０との間に摺動可能に保持するガイド部材４０Ａと、ガイド部材４０Ａに螺合されるとともにシート２０Ａの長孔２３Ａに挿通されているネジ４１Ａと、を備える。
【００３１】
図４は、図３に示す底板及びガイド部材を主面側から見た図である。図４は、本体１０を省略して記載した。また、図４の左右方向は、図１の左右方向と対応する。図４に示すように、長孔２３Ａは、シート２０Ａが主面１０ａから裏面１０ｂまで延在する方向に沿って、延びる長円状をなす。
【００３２】
ガイド部材４０Ａは、本体１０の曲面が形成されている辺に平行な方向に沿って延びる長尺状をなす。ガイド部材４０Ａは、不図示の基板等を介在させて本体１０に固定されている。
【００３３】
次に、輸送時や使用時の温度変化により、本体１０及びシート２０Ａが膨張又は収縮した場合について説明する。医療用入力装置が飛行機により輸送される場合、医療用入力装置が置かれる環境は、上空の極めて低い温度となる。一方で、医療用入力装置が車両等により陸路を輸送される場合、医療用入力装置が置かれる環境は、気候や天候等の条件により極めて低い温度や高い温度となる場合がある。また、医療用入力装置を使用する際に、表示部１２が発する熱により医療用入力装置が高温となる場合がある。従来、医療用入力装置が低温又は高温となる場合に、本体の熱膨張率とシートの熱膨張率とが異なるために、シートが本体から浮いたり剥がれたりする場合があった。
【００３４】
図５は、本体が膨張した場合のシートの状態を表す図である。図５に示すように、本体１０及びシート２０Ａが膨張する場合、シート２０Ａに対して本体１０の膨張率が大きいことにより、シート２０Ａは、側面１０ｃ側に引っ張られる。このとき、シート２０Ａは、ガイド部材４０Ａに保持されながら摺動するため、シート２０Ａが本体１０から浮いたり剥がれたりすることが防止されている。
【００３５】
図６は、本体が収縮した場合のシートの状態を表す図である。図６に示すように、本体１０及びシート２０Ａが収縮する場合、シート２０Ａに対して本体１０の膨張率が大きいことにより、シート２０Ａは、側面１０ｃ側から離れる方向に押し込まれる。このとき、シート２０Ａは、ガイド部材４０Ａに保持されながら摺動するため、シート２０Ａが本体１０から浮いたり剥がれたりすることが防止されている。
【００３６】
以上説明したように、実施の形態２によれば、シート２０Ａの端部がガイド部材４０Ａに摺動可能に保持されていることにより、低温下又は高温下において、シート２０Ａが本体１０から浮いたり剥がれたりすることが防止されている。
【００３７】
（変形例２−１）
図７は、変形例２−１に係る医療用入力装置の構成を示す模式図である。図７に示すように、変形例２−１に係る医療用入力装置において、ガイド部材４０Ｂは、本体１０の曲面が形成されている辺に平行な方向に沿って、複数に分割されている。このように、ガイド部材は、シートを摺動可能に保持することができる構成であれば、形状は特に限定されない。
【００３８】
（変形例２−２）
図８は、変形例２−２に係る医療用入力装置の構成を示す模式図である。図８に示すように、変形例２−２に係る医療用入力装置において、シート２０Ｂは、シート２０Ｂが主面から裏面まで延在する方向に沿って、シート２０Ｂの端部まで延在する溝２３Ｂを有する。このように、シートには、ネジ４１Ａに対して摺動となるように長穴や溝等の切欠き部が形成されていればよく、その形状は特に限定されない。
【００３９】
（実施の形態３）
図９は、実施の形態３に係る医療用入力装置の構成を示す断面図である。図９に示すように、実施の形態３に係る医療用入力装置は、一端がシート２０Ａに固定されており、シート２０Ａが主面から裏面まで延在する方向に沿って、シート２０Ａの端部を引っ張るバネ５０Ｃと、バネ５０Ｃの他端を底板３０に固定するネジ５１Ｃと、を備える。本体１０及びシート２０Ａが熱により収縮する場合、バネ５０Ｃがシート２０Ａの端部を引っ張るため、シート２０Ａが本体１０と底板３０との間で摺動する。その結果、シート２０Ａが本体１０から浮いたり剥がれたりすることが防止されている。
【００４０】
なお、シート２０Ａの端部を引っ張る構成は、バネ５０Ｃに限らない。例えば、シート２０Ａの端部が軸部に固定された状態でロール状に丸められており、軸部を回転させてシート２０Ａを巻き取ることにより、シート２０Ａを摺動させてもよい。
【００４１】
さらなる効果や変形例は、当業者によって容易に導き出すことができる。よって、本発明のより広範な態様は、以上のように表し、かつ記述した特定の詳細及び代表的な実施の形態に限定されるものではない。従って、添付のクレーム及びその均等物によって定義される総括的な発明の概念の精神又は範囲から逸脱することなく、様々な変更が可能である。
【符号の説明】
【００４２】
１  医療用入力装置
１０  本体
１０ａ  主面
１０ａａ  操作面
１０ｂ  裏面
１０ｃ  側面
１１  タッチパッド
１２  表示部
２０、２０Ａ、２０Ｂ  シート
２１、４１Ａ、５１Ｃ  ネジ
２２  ボルト
２３Ａ  長孔
２３Ｂ  溝
３０  底板
４０Ａ、４０Ｂ  ガイド部材
５０Ｃ  バネ
【図１】
2020152835.tif 000003
【図２】
2020152835.tif 000004
【図３】
2020152835.tif 000005
【図４】
2020152835.tif 000006
【図５】
2020152835.tif 000007
【図６】
2020152835.tif 000008
【図７】
2020152835.tif 000009
【図８】
2020152835.tif 000010
【図９】
2020152835.tif 000011
【手続補正書】
【提出日】令和3年6月18日(2021.6.18)
【手続補正１】
【補正対象書類名】特許請求の範囲
【補正対象項目名】全文
【補正方法】変更
【補正の内容】
【特許請求の範囲】
【請求項１】
ユーザによる位置情報の入力を受け付ける操作面が主面に配置されている本体と、
前記本体の前記操作面を覆い、かつ前記主面から裏面までを覆うシートと、
前記シートの前記裏面側を摺動可能に保持するガイド部材と、
を備える医療用入力装置。
【請求項２】
前記操作面は、タッチパッドを有し、
前記シートは、前記タッチパッドの近傍において前記主面から前記裏面までを覆う請求項１に記載の医療用入力装置。
【請求項３】
前記シートは、前記タッチパッドの近傍に位置する一辺において前記主面から前記裏面までを覆う請求項２に記載の医療用入力装置。
【請求項４】
前記本体の前記タッチパッドの近傍の前記主面と前記裏面とを接続する側面は、曲面であり、
前記シートは、前記曲面の少なくとも前記タッチパッドの近傍の一部を覆う請求項２に記載の医療用入力装置。
【請求項５】
前記本体の前記裏面を覆う底板を備え、
前記シートの前記裏面まで延在する部分の端部は、前記本体と前記底板との間に挟まれている請求項１に記載の医療用入力装置。
【請求項６】
前記ガイド部材は、前記シートを前記本体と前記底板との間に摺動可能に保持する請求項５に記載の医療用入力装置。
【請求項７】
前記本体の熱膨張率と前記シートの熱膨張率とが異なる請求項１に記載の医療用入力装置。
【請求項８】
ユーザによる位置情報の入力を受け付ける操作面が主面に配置されている本体と、
前記本体の前記操作面を覆い、かつ前記主面から裏面までを覆うシートと、
を備え、
前記本体の熱膨張率と前記シートの熱膨張率とが異なる医療用入力装置。
【国際調査報告】
2020152835.tif 000012
2020152835.tif 000013